(57)【要約】【課題】  トーテンポール回路のスイッチング素子が同時にオンとなることを防止する。【解決手段】  第１トランジスタＴｒＡがオンとなるベース電位閾値を高めることで、駆動信号に対してオンとなるタイミングを遅らせる。また、第２トランジスタＴｒＢがオフとなるベース電位閾値を高めることで、インバータＩＮＶにより反転された駆動信号に対してオフとなるタイミングを早める。駆動信号がハイレベルに切り替えられた際に、該駆動信号がインバータを介して反転してベースへ加えられる第２トランジスタＴｒＢがオフとなるよりも遅く、第１トランジスタＴｒＡがオンとなり、同様に、第１トランジスタＴｒＡがオンとなるよりも早く、第２トランジスタＴｒＢがオフとなる。【選択図】  図４
2005144707.tif 000002
【特許請求の範囲】
【請求項１】
電圧源の一端と他端間に第１のスイッチング素子と第２のスイッチング素子とを直列に接続し、その両スイッチング素子の接続点に被駆動負荷を接続し、
第１のスイッチング素子に駆動信号を印加するとともに該駆動信号をインバータを介して第２のスイッチング素子に印加し、第１のスイッチング素子をオンして被駆動負荷を電圧源の一端に接続しているとき、第２のスイッチング素子をオフし、第１のスイッチング素子をオフしているとき、第２のスイッチング素子をオンして被駆動負荷を電圧源の他端に接続する駆動回路において、
第１のスイッチング素子のオン期間に第２のスイッチング素子のオン期間が重ならないように、第１のスイッチング素子がオンとなる閾値電圧及び第２のスイッチング素子がオフとなる閾値電圧を設定したことを特徴とする駆動回路。
【請求項２】
インクを噴射するためのインクジェットヘッドに噴射パルス信号を印加するインクジェットヘッド駆動回路において、
電圧源の一端と他端間に第１のスイッチング素子と第２のスイッチング素子とを直列に接続し、その両スイッチング素子の接続点にインクジェットヘッドを接続し、
第１のスイッチング素子に駆動信号を印加するとともに該駆動信号をインバータを介して第２のスイッチング素子に印加し、第１のスイッチング素子をオンしてインクジェットヘッドを電圧源の一端に接続しているとき、第２のスイッチング素子をオフし、第１のスイッチング素子をオフしているとき、第２のスイッチング素子をオンしてインクジェットヘッドを電圧源の他端に接続する駆動回路において、
第１のスイッチング素子のオン期間に第２のスイッチング素子のオン期間が重ならないように、第１のスイッチング素子がオンとなる閾値電圧及び第２のスイッチング素子がオフとなる閾値電圧を設定したことを特徴とするインクジェットヘッド駆動回路。
【請求項３】
前記インクジェットヘッドは、圧電素子の変形によりインクを噴射するものであることを特徴とする請求項２に記載のインクジェットヘッド駆動回路。
【発明の詳細な説明】
【技術分野】
【０００１】
本発明は、被駆動負荷へパルス状の電位を印加する駆動回路に関し、特にインクジェット方式等の圧電素子を用いるインクジェットヘッドにパルス状に電位を印加するインクジェットヘッド駆動回路に関するものである。
【背景技術】
【０００２】
今日、これまでのインパクト方式の印字装置にとってかわり、その市場を大きく拡大しつつあるノンインパクト方式の印字装置のなかで、原理が最も単純で、かつ多階調化やカラー化が容易であるものとして、インクジェット方式の印字装置が挙げられる。なかでも印字に使用するインク液滴のみを噴射するドロップ・オン・デマンド型が、噴射効率の良さ、ランニングコストの安さなどから急速に普及している。
【０００３】
インクジェット方式の印字装置では、特許文献１、２、３に示されているように圧電素子からなるインクジェットヘッドに、駆動回路からパルス状の電位を印加して圧電素子を変形させることでインクをノズルから飛翔させている。係るインクジェットヘッドの駆動回路において、圧電素子への電位の印加のために図６に示すような所謂トーテンポール回路が広く用いられている。トーテンポール回路では、電圧源ＶｃｃとアースＧＮＤとの間に第１トランジスタＴｒａと第２トランジスタＴｒｂとを直列に接続し、第１トランジスタＴｒａと第２トランジスタＴｒｂと接続点に抵抗Ｒを介して圧電素子を接続し、第１トランジスタＴｒａのベースに駆動信号Ｉｎａを印加する共に、該駆動信号ＩｎａをインバータＩＮＶにより反転させた駆動信号Ｉｎｂを第２トランジスタＴｒｂのベースに印加する。第１トランジスタＴｒａをオフした際に第２トランジスタＴｒｂをオンさせることで、容量性の負荷である圧電素子の電荷を、第２トランジスタＴｒｂを介してアースＧＮＤ側に放電させる。これにより圧電素子へ印加するパルス状の電位の立ち下がりを急峻にさせる。このパルス状の電位の立ち下がりタイミングを正確に制御することが、圧電素子によりインクを効率的に飛翔させるために必須であるため、インクジェットヘッド駆動回路においてトーテンポール回路が用いられている。
【特許文献１】特開２０００−２８０４６３号公報
【特許文献２】特許２６８９４１５号公報
【特許文献３】特開２０００−２１１１２６号公報
【発明の開示】
【発明が解決しようとする課題】
【０００４】
しかしながら、上記トーテンポール回路において、第１トランジスタＴｒａをオフ状態からオン状態に切り替える際に、第２トランジスタＴｒｂのオフ状態からオフ状態への切り替わりが遅れ、瞬間的に第１トランジスタＴｒａと第２トランジスタＴｒｂとが同時にオン状態となることがあることが判明した。この同時オン状態が発生する原因について、図７のタイミングチャートを参照して説明する。
【０００５】
図７中では、駆動信号Ｉｎａの波形、該駆動信号Ｉｎａを反転させた駆動信号Ｉｎｂの波形、第１トランジスタＴｒａの状態、第２トランジスタＴｒｂの状態を示している。
ここで、駆動信号Ｉｎａがローレベルからハイレベルに切り替わる際に、時刻ｔ１１から時刻ｔ１３まで徐々に電圧が上昇していく。なお、電圧の過渡変化を正確に表すと複雑な二次曲線を描くが、説明の便宜のため単純な直線で表してある点に注意されたい。この駆動信号Ｉｎａがローレベルからハイレベルに切り替わる際に、インバータＩＮＶの閾値として、駆動信号Ｉｎａの５０％（ローレベルとハイレベルの中間の電位）が設定されていると、駆動信号Ｉｎａの電位が上記５０％に達した時刻ｔ１２から、インバータＩＮＶの出力、即ち、反転させた駆動信号Ｉｎｂがハイレベルからローレベルへ切り替わって行く。ここで、第１トランジスタＴｒａは、閾値として駆動信号Ｉｎａの５０％（ローレベルとハイレベルの中間の電位）が設定されていると、駆動信号Ｉｎａの電位が上記５０％に達した時刻ｔ１２にオンする。一方、第２トランジスタＴｒｂは、閾値として駆動信号Ｉｎｂの５０％（ローレベルとハイレベルの中間の電位）が設定されていると、駆動信号Ｉｎｂの電位が上記５０％まで下がった時刻ｔ１３にオフする。このため、時刻ｔ１２から時刻ｔ１３までの間、第１トランジスタＴｒａと第２トランジスタＴｒｂとが同時にオン状態となる。
【０００６】
ここで、第１トランジスタＴｒａと第２トランジスタＴｒｂとが同時にオン状態になると、圧電素子を駆動するための高電位であるＶｃｃ（例えば２０Ｖ）がアースＧＮＤに接続され、アースＧＮＤ電位が瞬時的に高まり、駆動回路を構成する駆動用ＩＣの誤動作を引き起こすことがある。更には、アースＧＮＤ電位が、駆動用ＩＣに搭載された他のトランジスタの駆動電位（例えば３．３Ｖ）を越え、他のトランジスタへ逆バイアスが加わり、故障の原因となることもある。
【０００７】
本発明は、上述した課題を解決するためになされたものであり、その目的とするところは、トーテンポール回路のスイッチング素子が同時にオンとなることを防止することができる駆動回路及びインクジェットヘッド駆動回路を提供することにある。
【課題を解決するための手段】
【０００８】
上記目的を達成するため、請求項１の発明は、電圧源の一端と他端間に第１のスイッチング素子と第２のスイッチング素子とを直列に接続し、その両スイッチング素子の接続点に被駆動負荷を接続し、
第１のスイッチング素子に駆動信号を印加するとともに該駆動信号をインバータを介して第２のスイッチング素子に印加し、第１のスイッチング素子をオンして被駆動負荷を電圧源の一端に接続しているとき、第２のスイッチング素子をオフし、第１のスイッチング素子をオフしているとき、第２のスイッチング素子をオンして被駆動負荷を電圧源の他端に接続する駆動回路において、
第１のスイッチング素子のオン期間に第２のスイッチング素子のオン期間が重ならないように、第１のスイッチング素子がオンとなる閾値電圧及び第２のスイッチング素子がオフとなる閾値電圧を設定したことを技術的特徴とする。
【０００９】
請求項２は、インクを噴射するためのインクジェットヘッドに噴射パルス信号を印加するインクジェットヘッド駆動回路において、
電圧源の一端と他端間に第１のスイッチング素子と第２のスイッチング素子とを直列に接続し、その両スイッチング素子の接続点にインクジェットヘッドを接続し、
第１のスイッチング素子に駆動信号を印加するとともに該駆動信号をインバータを介して第２のスイッチング素子に印加し、第１のスイッチング素子をオンしてインクジェットヘッドを電圧源の一端に接続しているとき、第２のスイッチング素子をオフし、第１のスイッチング素子をオフしているとき、第２のスイッチング素子をオンしてインクジェットヘッドを電圧源の他端に接続する駆動回路において、
第１のスイッチング素子のオン期間に第２のスイッチング素子のオン期間が重ならないように、第１のスイッチング素子がオンとなる閾値電圧及び第２のスイッチング素子がオフとなる閾値電圧を設定したことを技術的特徴とする。
【発明の効果】
【００１０】
請求項１の駆動回路では、第１のスイッチング素子のオン期間に第２のスイッチング素子のオン期間が重ならないように、第１のスイッチング素子がオンとなる閾値電圧及び第２のスイッチング素子がオフとなる閾値電圧を設定してある。例えば、第１スイッチング素子がオンとなるベース（ゲート）電位閾値を高めることで（駆動信号の電位の６０％以上、好適には７５％以上）、駆動信号の変化に対してオンとなるタイミングを遅らせ、オフとなるタイミングを早める。また、第２スイッチング素子がオフとなるベース（ゲート）電位閾値を高めることで（インバータで反転された駆動信号の電位の６０％以上、好適には７５％以上）、インバータにより反転された駆動信号の変化に対してオフとなるタイミングを早め、オンとなるタイミングを遅らせる。このため、駆動信号のレベルが切り替えられた際に、該駆動信号がインバータを介して反転してベース（ゲート）へ加えられる第２スイッチング素子がオフとなるよりも遅く、第１スイッチング素子がオンとなり、同様に、第２スイッチング素子がオンとなるよりも早く、第１スイッチング素子がオフとなるので、第１スイッチング素子と第２スイッチング素子とが同時にオンとなることを防止することができる。
【００１１】
請求項２のインクジェットヘッド駆動回路では、第１のスイッチング素子のオン期間に第２のスイッチング素子のオン期間が重ならないように、第１のスイッチング素子がオンとなる閾値電圧及び第２のスイッチング素子がオフとなる閾値電圧を設定してある。第１スイッチング素子がオンとなるベース（ゲート）電位閾値を高めることで（駆動信号の電位の６０％以上、好適には７５％以上）、駆動信号の変化に対してオンとなるタイミングを遅らせ、オフとなるタイミングを早める。また、第２スイッチング素子がオフとなるベース（ゲート）電位閾値を高めることで（インバータで反転された駆動信号の電位の６０％以上、好適には７５％以上）、インバータにより反転された駆動信号の変化に対してオフとなるタイミングを早め、オンとなるタイミングを遅らせる。このため、駆動信号のレベルが切り替えられた際に、該駆動信号がインバータを介して反転してベース（ゲート）へ加えられる第２スイッチング素子がオフとなるよりも遅く、第１スイッチング素子がオンとなり、同様に、第２スイッチング素子がオンとなるよりも早く、第１スイッチング素子がオフとなるので、第１スイッチング素子と第２スイッチング素子とが同時にオンとなることを防止することができる。これにより、第１スイッチング素子と第２スイッチング素子とが同時にオンとなることによるアース電位の変動が無くなり、アース電位の変動によるインクジェットヘッド駆動用ＩＣの誤動作、故障を防ぐことが可能になる。
【００１２】
請求項３のインクジェットヘッド駆動回路では、第１スイッチング素子と第２スイッチング素子とが同時にオンとなることを防止することで、圧電素子を適切に制御することができる。
【発明を実施するための最良の形態】
【００１３】
以下、本発明の実施の形態について図面を参照して説明する。
図１及び図２を参照してインクジェット記録装置の構成について説明する。
図１に示すように、インクジェットヘッド２０はキャリッジ１０に搭載されており、印字用紙搬送部１３上の被記録材（印字用紙）と平行に軸１２に沿って移動され、インクジェットヘッド２０からその印字用紙上にインク小滴が吐出される。キャリッジ１０上には、ブラックインク、イエローインク、マゼンタインク、シアンインクをそれぞれ内蔵した４つのインクカートリッジ１１が装着され、２つのインクジェットヘッド２０のうち１つのプリントヘッドに、ブラックインク、シアンインクがそれぞれ供給され、他の１つのプリントヘッドにイエローインク、マゼンタインクがそれぞれ供給される。前者のインクジェットヘッド２０には、図２に示すように、下面（ノズル面）２８にブラックインクを吐出するためのノズル２４ｋ、シアンインクを吐出するためのノズル２４ｃが、この図の紙面に対して直角方向に列をなして複数設けられている。また、後者のインクジェットヘッド２０についても同様に、イエローインク、マゼンタインクを吐出するためのノズルが設けられている。
【００１４】
各インクジェットヘッド２０は、特開２００１−２４６７４４号公報に開示されたものと同様の構成であり、各インクカートリッジから供給されたインクは、各ノズル列ごとに独立した共通インク室２５ｋ、２５ｃから連通孔２６ｋ、２６ｃを通って各ノズルごとに独立した圧力発生室２２ｋ、２２ｃに分配される。各圧力発生室２２ｋ、２２ｃ内のインクは、圧電セラミックから成る圧電アクチュエータ２７によって圧力が付与され、連通孔２３ｋ、２３ｃを通って各ノズル２４ｋ、２４ｃから吐出される。上記各室２５ｋ、２５ｃ、２２ｋ、２２ｃ及び各孔２６ｋ、２６ｃ、２３ｋ、２３ｃは、複数の金属プレート材２１に形成された開口として形成され、プレート材２１を積層することによって相互に連通される。ノズル面２８を形成するプレート材は、合成樹脂材（ポリイミド）によって形成され、表面に撥水膜が形成されている。
【００１５】
図１において３０で示すものは、メンテナンス装置と呼ばれるもので、インクジェットヘッド２０が吐出不良を生じたとき、又は、定期的にインクジェットヘッド２０に対して回復処理が行われる。キャリッジ１０が印字用紙搬送部１３から外れた位置へ移動されると、吸引キャップ３１がカム３３によって１つのインクジェットヘッド２０に接近し、ノズル２４ｋ、２４ｃを覆ってノズル面２８に密着される。そして、吸引ポンプ３４が駆動されることにより、吸引キャップ３１を通して２列のノズル２４ｋ、２４ｃ内のインクが同時に吸引され、廃液タンク３５に廃出される。その後、吸引キャップ３１がノズル面２８から離隔される。イエローインク及びマゼンタインクのノズルに対しても回復処理を行う必要があるときは、キャリッジ１０が、イエローインク及びマゼンタインクのノズルを吸引キャップ３１と対向する位置に移動し、同様の動作が繰り返される。その後、ワイパ３２がカム３３によってインクジェットヘッド２０に接近し、キャリッジ１０が軸１２に沿って移動すると、ワイパ３２によって、ブラックインク及びシアンインクのノズル２４ｋ、２４ｃが開口するノズル面２８と、イエローインク及びマゼンタインクのノズルが開口するノズル面とが、図面の左右方向に一括してワイプされる。インクジェットプリンタの休止時、キャリッジ１０は、２つのインクジェットヘッド２０が保存キャップ３６とそれぞれ対向する位置に移動し、全ノズルが保存キャップ３６によって覆われる。
【００１６】
次にインクジェットヘッド２０へ印加する駆動信号の波形を図５に示す。駆動信号の波形は、インク液滴を噴射するための噴射パルス信号Ａ、Ｂと上記圧力発生室２２ｋ、２２ｃ内の残留圧力波振動を減少させるための非噴射パルス信号Ｃとからなり、噴射パルス信号Ａ、Ｂと非噴射パルス信号Ｃのどちらも波高値（電圧値）はＥ（Ｖ）（例えば２０（Ｖ））である。最も好ましい実施の形態において、噴射パルス信号Ａの幅Ｗａは、圧力発生室２２ｋ、２２ｃ内の圧力波の片道伝播時間Ｔの０．５倍に一致し、すなわち４μｓｅｃであり、噴射パルス信号Ｂの幅Ｗｂは圧力発生室２２ｋ、２２ｃ内の圧力波の片道伝播時間Ｔに一致し、すなわち８μｓｅｃである。また、噴射パルス信号Ａの立ち下がりタイミングＷａｅから噴射パルス信号Ｂの立ち上がりタイミングＷｂｓまでの時間Ｄｗ１も、圧力発生室２２ｋ、２２ｃ内の圧力波の片道伝播時間Ｔに一致し、すなわち８μｓｅｃである。非噴射パルス信号Ｃの幅Ｗｃは、圧力発生室２２ｋ、２２ｃ内の圧力波の片道伝播時間Ｔ（Ｌ／ａ）の０．５倍、すなわち４μｓｅｃである。噴射パルス信号Ｂの立ち下がりタイミングＷｂｅから、非噴射パルス信号Ｃの立ち上がりタイミングＷｃｓと立ち下がりタイミングＷｃｅとの中間タイミングＷｃｍまでの時間Ｄｗ２は、圧力発生室２２ｋ、２２ｃ内の圧力波の片道伝播時間Ｔの２．５倍、すなわち２０μｓｅｃである。
【００１７】
非噴射パルス信号Ｃは、噴射パルス信号による圧力発生室内の残留圧力波振動が圧力を上げるタイミングで、該非噴射パルス信号を立ち上げて圧力発生室の容積を拡大して圧力の上昇を抑え、残留圧力波振動が圧力を下げるタイミングで、該非噴射パルス信号を立ち下げて圧力発生室の容積を戻して圧力の下降を抑えることにより、残留圧力波振動を減少させるものである。
【００１８】
次に、インクジェットヘッド２０に駆動信号を印加するインクジェットヘッド駆動回路の構成を図３を参照して説明する。
駆動回路５０は、高電位（２０Ｖ）の電圧源Ｖｃｃ（電圧源の一端）を印加して圧電アクチュエータ２７を充電する第１トランジスタＴｒＡと、圧電アクチュエータ２７に充電させれた電荷をアースＧＮＤ１（電圧源の他端）側へ放電させる第２トランジスタＴｒＢと、パルスコントロール回路６０から構成されている。
【００１９】
パルスコントロール回路６０には、各種の演算処理を行うＣＰＵ６２が設けられ、ＣＰＵ６２には、印字データや各種のデータを記憶するＲＡＭ６３とパルスコントロール回路６０の制御プログラムおよび図５を参照して上述した駆動信号のタイミングでオン、オフ信号を発生するシーケンスデータを記憶しているＲＯＭ６４とが接続されている。
【００２０】
さらに、ＣＰＵ６２は各種のデータのやりとりするＩ／Ｏバス６６に接続され、当該Ｉ／Ｏバス６６には、印字データ受信回路６８と、第１トランジスタＴｒＡと、インバータＩＮＶを介して第２トランジスタＴｒＢとが接続されている。ＣＰＵ６２はＲＯＭ６４のシーケンスデータに従って、第１トランジスタＴｒＡ及び第２トランジスタＴｒＢを制御する。
【００２１】
第１トランジスタＴｒＡと第２トランジスタＴｒＢとは所謂トーテンポール回路を構成している。即ち、電圧源ＶｃｃとアースＧＮＤ１との間に第１トランジスタＴｒＡと第２トランジスタＴｒＢとを直列に接続し、第１トランジスタＴｒＡと第２トランジスタＴｒＢとの間に抵抗Ｒを介して圧電アクチュエータ２７の第１電極２７ａを接続し、第１トランジスタＴｒＡのベースに図５を参照して上述したパルス状の駆動信号ＩｎＡを印加する共に、該駆動信号ＩｎＡをインバータＩＮＶにより反転させた駆動信号ＩｎＢを第２トランジスタＴｒＢのベースに印加する。圧電アクチュエータ２７の第２電極２７ｂはアースＧＮＤ２側に接続されている。
【００２２】
Ｉ／Ｏバス６６からオン信号（＋５Ｖ：図５に示す駆動信号ＩｎＡのハイレベル）が第１トランジスタＴｒＡのベースへ印加されると、第１トランジスタＴｒＡが導通し、正の電圧源Ｖｃｃからの電流が第１トランジスタＴｒＡのコレクタからエミッタ方向に流れる。この電流が抵抗Ｒを介して圧電アクチュエータ２７へ充電される。一方、Ｉ／Ｏバス６６からオン信号（＋５Ｖ：図５に示す駆動信号ＩｎＡのハイレベル）は、インバータＩＮＶにて反転され０Ｖとなり、第２トランジスタＴｒＢのベースへ印加される。第２トランジスタＴｒＢは導通が停止し、第２トランジスタＴｒＢのコレクタからエミッタ方向への電流が遮断される。
【００２３】
一方、Ｉ／Ｏバス６６からオフ信号（０Ｖ：図５に示す駆動信号ＩｎＡのローレベル）が第１トランジスタＴｒＡのベースへ印加されると、第１トランジスタＴｒＡの導通が停止し、正の電圧源Ｖｃｃからの電流が第１トランジスタＴｒＡで遮断される。一方、Ｉ／Ｏバス６６からオフ信号（０Ｖ：図５に示す駆動信号ＩｎＡのローレベル）はインバータＩＮＶにて反転され５Ｖとなり、第２トランジスタＴｒＢのベースへ印加される。第２トランジスタＴｒＢが導通し、第２トランジスタＴｒＢのコレクタからエミッタ方向への電流が流れ、圧電アクチュエータ２７に充電された電荷がアースＧＮＤ１側へ放電される。
【００２４】
実施形態のインクジェットヘッド駆動回路５０では、第１トランジスタＴｒＡのオン期間に第２トランジスタＴｒＢのオン期間が重ならないように、第１トランジスタＴｒＡがオンとなる閾値電圧及び第２トランジスタＴｒＢがオフとなる閾値電圧を設定してある。換言すると、そのような各閾値電圧を持つ特性のトランジスタＴｒＡ、ＴｒＢが選択される。例えば、第１トランジスタＴｒＡがオンとなるベース（ゲート）電位閾値を高めることで（駆動信号ＩｎＡの電位の６０％（３Ｖ）以上、好適には７５％（３．７５Ｖ）以上）、駆動信号ＩｎＡのローレベルからハイレベルへの切り替わりに対してオンとなるタイミングを遅らせ、ハイレベルからローレベルへの切り替わりに対してオフとなるタイミングを早める。また、第２トランジスタＴｒＢがオフとなるベース（ゲート）電位閾値を高めることで（インバータＩＮＶで反転された反転駆動信号ＩｎＢの電位（５Ｖ）の６０％（３Ｖ）以上、好適には７５％（３．７５Ｖ）以上）、インバータＩＮＶにより反転された反転駆動信号ＩｎＢのハイレベルからローレベルへの切り替わりに対してオフとなるタイミングを早め、ローレベルからハイレベルへの切り替わりに対してオンとなるタイミングを遅らせる。このため、駆動信号がハイレベルに切り替えられた際に、該駆動信号がインバータを介して反転してベース（ゲート）へ加えられる第２トランジスタＴｒＢがオフとなるよりも遅く、第１トランジスタＴｒＡがオンとなる。また、駆動信号がローレベルに切り替えられた際に、第１トランジスタＴｒＡがオフになった後、第２トランジスタＴｒＢがオンとなるので、第１トランジスタＴｒＡと第２トランジスタＴｒＢとが同時にオンとなることを防止することができる。
【００２５】
第１トランジスタＴｒＡと第２トランジスタＴｒＢとの同時オンの防止について、駆動信号ＩｎＡの波形、該駆動信号ＩｎＡを反転させた反転駆動信号ＩｎＢの波形、第１トランジスタＴｒＡの状態、第２トランジスタＴｒＢの状態を示すタイミングチャートである図４を参照して更に詳細に説明する。
【００２６】
ここで、駆動信号ＩｎＡがローレベルからハイレベルに切り替わる際に、時刻ｔ１から時刻ｔ５まで徐々に電圧が上昇していく。なお、電圧の過渡変化を正確に表すと複雑な二次曲線を描くが、説明の便宜のため単純な直線で表してある点に注意されたい。この駆動信号ＩｎＡがローレベルからハイレベルに切り替わる際に、インバータＩＮＶの閾値として、駆動信号ＩｎＡの５０％（ローレベル（０Ｖ）とハイレベル（５Ｖ）の中間の電位（２．５Ｖ））が設定されていると、駆動信号ＩｎＡの電位が上記５０％（２．５Ｖ）に達した時刻ｔ２から、インバータＩＮＶの出力、即ち、反転させた反転駆動信号ＩｎＢがハイレベル（５Ｖ）からローレベル（０Ｖ）へ切り替わって行く。ここで、第２トランジスタＴｒＢは、閾値として駆動信号ＩｎＢの８０％（４Ｖ）が設定されていると、駆動信号ＩｎＢの電位が上記８０％（４Ｖ）まで下がった時刻ｔ３にオフする。一方、第１トランジスタＴｒＡは、閾値として駆動信号ＩｎＡの８０％（４Ｖ）が設定されていると、駆動信号ＩｎＡの電位が上記８０％（４Ｖ）に達した時刻ｔ４にオンする。即ち、時刻ｔ３にて第２トランジスタＴｒＢがオフとなった後、時刻ｔ４にて第１トランジスタＴｒＡがオンするので、第１トランジスタＴｒＡと第２トランジスタＴｒＢとが同時にオンすることを確実に防ぐことができる。
また、圧電アクチュエータ２７の電荷を放電する際、駆動信号ＩｎＡの電位が８０％まで降下した時刻ｔ６に第１トランジスタＴｒＡがオフし、その後、反転駆動信号ＩｎＢの電位がローレベル（０Ｖ）から立ち上がりはじめ（時刻ｔ７）、８０％まで上昇した時刻ｔ８に第２トランジスタＴｒＢがオンする。このときも、第１トランジスタＴｒＡと第２トランジスタＴｒＢとが同時にオンすることを防ぐことができる。
【００２７】
第１実施形態のインクジェットヘッド駆動回路では、第１トランジスタＴｒＡと第２トランジスタＴｒＢとが同時にオンすることを確実に防ぐことができるので、第１トランジスタＴｒＡと第２トランジスタＴｒＢとが同時にオンとなることによるアースＧＮＤ１の電位の変動が無くなり、アース電位の変動によるインクジェットヘッド駆動用ＩＣの誤動作、逆バイアスによる他のトランジスタ等の故障を防ぐことが可能になる。
【００２８】
尚、第１トランジスタＴｒＡ、第２トランジスタＴｒＢ及びインバータＩＮＶはインクジェットヘッドのノズル数と同じ数だけ設けられている。本実施の形態では、代表して一つのノズルの制御について説明したが、他のノズルの制御についても同様な制御である。
【産業上の利用可能性】
【００２９】
上述した実施形態では、圧電素子への電圧印加を制御するスイッチイング素子としてトランジスタを用いる例を挙げたが、電界効果型トランジスタ等を用いることも可能である。また、トーテンポール回路をインクジェットヘッド駆動回路に用いる例について説明したが、本発明の構成は、種々の被駆動負荷へパルス状の電位を印加する駆動回路に適用可能であることは言うまでもない。
【図面の簡単な説明】
【００３０】
【図１】本発明の一実施形態に係るインクジェット記録装置の構成を示す説明図である。
【図２】図１中のインクジェットヘッドの構成を示す説明図である。
【図３】実施形態に係るインクジェットヘッド駆動回路の回路図である。
【図４】駆動信号ＩｎＡの波形、該駆動信号ＩｎＡを反転させた反転駆動信号ＩｎＢの波形、第１トランジスタＴｒＡの状態、第２トランジスタＴｒＢの状態を示すタイミングチャートである。
【図５】駆動信号の波形を示す波形図である。
【図６】従来技術に係るトーテンポール回路の回路図である。
【図７】図６中の駆動信号Ｉｎａの波形、該駆動信号Ｉｎａを反転させた駆動信号Ｉｎｂの波形、第１トランジスタＴｒａの状態、第２トランジスタＴｒｂの状態を示すタイミングチャートである。
【符号の説明】
【００３１】
２０  インクジェットヘッド
２３ｃ、２３ｋ  連通孔
２７  圧電アクチュエータ
５０  インクジェットヘッド駆動回路
６０  パルスコントロール回路
６２  ＣＰＵ
６６  Ｉ／Ｏバス
ＴｒＡ  第１トランジスタ
ＴｒＢ  第２トランジスタ
ＩＮＶ  インバータ
Ｖｃｃ  電圧源（電圧源の一端）
ＧＮＤ１  アース（電圧源の他端）
【図１】
2005144707.tif 000003
【図２】
2005144707.tif 000004
【図３】
2005144707.tif 000005
【図４】
2005144707.tif 000006
【図５】
2005144707.tif 000007
【図６】
2005144707.tif 000008
【図７】
2005144707.tif 000009